(57)【要約】【課題】引戸が閉位置に移動すると戸枠体側に引き寄せるアシストハンドル付引戸装置を駆動源として駆動手段等を用いずに簡略でコンパクトな構成により廉価に実現する。【解決手段】引戸Ｄが開位置にあるとき、戸車ユニットＴ１・Ｔ２は、回動支点の枢着位置Ｐが戸車２４・２５の走行路Ｒとの係合位置に対して開口部Ｓから離れる側にずれているため、上方の案内ローラ３０・３１が開口部側に寄った向きに傾いた姿勢になり、従って、引戸は、その戸車ユニットの傾きに応じて持ち上った状態で吊持される一方で、閉位置に移動すると、案内ローラが引き寄せガイドＧのガイド通路ｍ・ｎの案内で開口部から離れる側へシフトするため、戸車ユニットも開口部側へ回動するが、そのとき、引戸は、持ち上げ状態にあったので、戸車ユニットが回動するに従い、奥行方向Ｚ戸枠体側にスイングしながら、自重により、引き寄せ位置へ落ち込むように戸枠体に引き寄せられてなる。【選択図】          図１
2011190603.tif 000002
【特許請求の範囲】
【請求項１】
戸枠体の上枠部に敷設した引戸レールで引戸を開閉方向に移動自在に釣支し、該引戸が開位置から直進して閉位置に移動すると、前記戸枠体側に引き寄せて開口部を気密に閉止する引戸装置であって、
前記上枠部には、前記引戸レールに沿って引き寄せガイドを敷設する一方、前記引戸には、戸車を回転自在に枢支すると共に案内ローラを回転自在に上部側に枢支した戸車ユニットを上端面の戸先側と戸尻側に搭載すると共に、扉板面の戸先側に倍力機構を備えたアシストハンドルを付設し、
前記引戸レールは、前記引戸が閉位置に移動したときに戸枠体側に引き寄せられる引き寄せ位置に前記戸車が係合する走行路を設け、
前記戸車ユニットは、前記引戸の上で枢軸を開閉方向に向けて軸支し、該枢軸を支点として前記開閉方向と直交する前記開口部の奥行方向に回動自在に枢着し、その枢着位置を、前記戸車の前記走行路との係合位置に対して前記開口部から離れる側にずらして設置し、
前記引き寄せガイドは、前記引戸が開位置にあるとき、前記案内ローラが前記開口部側に寄った傾き姿勢に前記戸車ユニットがなる位置に前記案内ローラを係合させる一方、前記引戸が閉位置に移動すると、前記案内ローラが前記開口部から離れる側にシフトして前記戸車ユニットが直立姿勢になる位置に前記案内ローラを係合させて案内するガイド通路を備えてなることを特徴とする、アシストハンドル付引戸装置。
【発明の詳細な説明】
【技術分野】
【０００１】
本発明は、病院・音楽ホール・劇場等の気密性が必要な建物の出入口を開閉する引戸に適用し、特に閉時は出入口を密閉するため、引戸が閉位置に移動すると、更に戸枠側に引き寄せて開口部を気密に閉止するアシストハンドル付引戸装置に関する。
【背景技術】
【０００２】
従来、この種の引戸装置の中には、例えば戸枠の上枠部に釣支した引戸の上端部を戸枠側に押す押圧装置と、更に引戸全体を戸枠側に引き寄せる複数の引き寄せ装置を備え、閉時、引戸が閉位置に至ると、押圧装置を作動し、その駆動部のパワーシリンダ等で枢止アームを回動して引戸の上端部を戸枠側に押し、次いで、引き寄せ装置を作動してモータを駆動し、引き寄せアームを回動して縦枠部側の係止ピンに係止させてから、ラックピニオン機構を介して引き寄せアームを戸枠側に引き寄せる構造にしたものがある（特許文献１参照）。
【先行技術文献】
【特許文献】
【０００３】
【特許文献１】特開平９−２４２４１９号公報
【発明の概要】
【発明が解決しようとする課題】
【０００４】
ところが、上述した従来の引戸装置では、押圧装置と引き寄せ装置にそれぞれ駆動源としてパワーシリンダやモータ等の駆動手段が別途に必要であり、しかも、引き寄せ装置には、駆動用のモータの他にラックピニオン機構等の駆動伝達手段を個別に備え、そのような引き寄せ装置を、戸先側の縦枠部と引戸の縦框間に複数組も組み付けることが必要な構成であるため、全体に構造が複雑で大型であり、それだけコストも著しく高くなるという課題があった。
【０００５】
そこで、本発明の目的は、引戸が閉位置に移動すると戸枠側に引き寄せる引戸装置を、駆動源として駆動手段等を用いず、簡略でコンパクトな構成により廉価に実現することにある。
【課題を解決するための手段】
【０００６】
本発明の目的を達成すべく、請求項１に記載の発明は、たとえば以下に示す図示実施の形態のとおり、戸枠体Ｃの上枠部１０ａに敷設した引戸レールＬで引戸Ｄを開閉方向Ｘ・Ｙに移動自在に釣支し、該引戸Ｄが開位置から直進して閉位置に移動すると、前記戸枠体側に引き寄せて開口部Ｓを気密に閉止する引戸装置Ａであって、前記上枠部１０ａには、前記引戸レールＬに沿って引き寄せガイドＧを敷設する一方、前記引戸Ｄには、戸車２４・２５を回転自在に枢支すると共に案内ローラ３０・３１を回転自在に上部側に枢支した戸車ユニットＴ１・Ｔ２を上端面ｄの戸先側と戸尻側に搭載すると共に、扉板面の戸先側に倍力機構を備えたアシストハンドルＨを付設し、前記引戸レールＬは、前記引戸Ｄが閉位置に移動したときに戸枠体側に引き寄せられる引き寄せ位置に前記戸車２４・２５が係合する走行路Ｒを設け、前記戸車ユニットＴ１・Ｔ２は、前記引戸Ｄの上で枢軸１３を開閉方向Ｘ・Ｙに向けて軸支し、該枢軸１３を支点として前記開閉方向Ｘ・Ｙと直交する前記開口部Ｓの奥行方向Ｚに回動自在に枢着し、その枢着位置Ｐを、前記戸車２４・２５の前記走行路Ｒとの係合位置Ｑに対して前記開口部Ｓから離れる側にずらして設置し、前記引き寄せガイドＧは、前記引戸Ｄが開位置にあるとき、前記案内ローラ２４・２５が前記開口部側に寄った傾き姿勢に前記戸車ユニットＴ１・Ｔ２がなる位置に前記案内ローラ３０・３１を係合させる一方、前記引戸Ｄが閉位置に移動すると、前記案内ローラ３０・３１が前記開口部Ｓから離れる側にシフトして前記戸車ユニットＴ１・Ｔ２が直立姿勢になる位置に前記案内ローラ２４・２５を係合させて案内するガイド通路ｍ・ｎを備えてなることを特徴とする。
【発明の効果】
【０００７】
請求項１に記載の発明によれば、引戸が開位置にあるときは、戸車ユニットは、回動支点の枢着位置が戸車の走行路との係合位置に対して開口部から離れる側にずれているため、上方の案内ローラが開口部側に寄った向きに傾いた姿勢にあり、故に、引戸は、その戸車ユニットの傾きに応じて、戸車ユニットが直立状態にあるときより高く、床面から持ち上った状態で引戸レールに吊持される一方で、閉位置に移動すると、戸車ユニットの案内ローラが引き寄せガイドのガイド通路の案内で開口部から離れる側へシフトするため、戸車ユニットは、枢軸を支点として開口部側へ回動して直立するが、そのとき、引戸は、持ち上げ状態で釣支されていたので、戸車ユニットが回動するに従い奥行方向戸枠体側にスイングしながら、自重により、持ち上がっていた高さだけ降下し、引き寄せ位置へ落ち込むように戸枠体に引き寄せられ、その結果、引戸は、自重をかけて圧接した状態で、上側と左右両側の三方側縁を戸枠体に密着し、下側は床面に密着して開口部を気密度高く閉止することができる。
【０００８】
しかも、請求項１に記載の発明によれば、引戸を、そのように自重により引き寄せ位置へ落ち込むように戸枠体側に引き寄せて開口部を閉止するため、引戸を閉位置から戸枠体側に引き寄せる引戸装置を、モータ等の駆動手段や駆動伝達手段等を用いることなく、簡略でコンパクトな構成により廉価に提供することがすることができる。
【０００９】
加えて、請求項１に記載の発明によれば、扉板面の戸先側に倍力機構を備えたアシストハンドルを付設した構成であるため、戸枠体に圧接した状態で引き寄せ位置にある重い引戸を開ける場合でも、例えばアシストハンドルを軽く引いて回すだけで、倍力機構が働いて、引き寄せ位置に落ち込んだ重い引戸を簡単に手前側に起こして引き出すことができ、これにより、たとえ非力な高齢者や身障者などであっても、簡単に開閉操作することができる。
【図面の簡単な説明】
【００１０】
【図１】本発明によるアシストハンドル付引戸装置を引戸の引寄せ閉止状態で示す斜視図である。
【図２】その引戸装置を適用した引戸構造体を示す斜視図である。
【図３】戸車ユニットの戸車支持部品を示す分解斜視図である
【図４】戸車ユニット全体を示す分解斜視図である。
【図５】戸車ユニットの傾き角度規制を説明する側面図である。
【図６】引き寄せガイドを示す分解斜視図である。
【図７】アシストハンドルを示す分解斜視図である。
【図８】引戸構造体を引戸の全開状態で示す斜視図である。
【図９】引戸構造体を引戸の全開状態で示す正面図である。
【図１０】（Ａ）引戸構造体を引戸が開位置にあるときの状態で示す側面図、（Ｂ）引戸が引き寄せ位置にあるときの状態で示す側面図である。
【図１１】図１０（Ａ）の部分拡大側面図である。
【図１２】図１０（Ｂ）の部分拡大側面図である。
【図１３】引戸構造体を引戸が開位置にあるときの状態で示す斜視図である。
【図１４】引戸構造体を引戸が開位置にあるときの状態で示す正面図である。
【図１５】引戸構造体を、引戸をアシストハンドルで開く状態で示す斜視図である。
【図１６】他例のアシストハンドルを示す分解斜視図である。
【図１７】（Ａ）他例のアシストハンドルの倍力機構部の内部構造を示す縦断面図、（Ｂ）倍力機構部の内部構造を押圧ピンの突出状態で示す縦断面図である。
【図１８】（Ａ）引戸構造体を他例のアシストハンドル付引戸の引き寄せ状態で示す正面図、（Ｂ）その引戸をアシストハンドルで開く状態で示す正面図、（Ｃ）引戸を全開した状態で示す正面図である。
【発明を実施するための形態】
【００１１】
以下、図面を参照しつつ、本発明の実施形態について説明する。
【００１２】
図１は、本発明によるアシストハンドル付引戸装置を引戸の引寄せ閉止状態で示す斜視図、図２は、その引戸装置を適用した引戸構造体の全体斜視図である。図示例の引戸構造体は、戸枠体Ｃの板状上枠部１０ａに引戸Ｄを開閉方向Ｘ・Ｙに移動自在に釣支し、特に閉時、引戸装置Ａにより、引戸Ｄが戸枠体Ｃの戸尻側の壁１０ｂと重なる開位置から直進して閉位置に移動すると、引戸Ｄを戸枠体側に引き寄せて床面Ｆと戸枠体Ｃ間にあいた開口部Ｓを気密に閉止する構成になっている。
【００１３】
そのため、引戸装置Ａは、引戸Ｄを開閉方向Ｘ・Ｙに案内して走行させる引戸レールＬと、引戸Ｄの上端面ｄに組み付ける一対の戸車ユニットＴ１・Ｔ２と、戸車ユニットＴ１・Ｔ２を案内する引き寄せガイドＧと、引戸Ｄの下部側を案内する引戸ガイドｇを備えると共に、引戸Ｄの戸先側にアシストハンドルＨを付設している。
【００１４】
引戸Ｄは、下端面の長さ方向に案内溝１１を凹設し、案内溝１１に溝形状に合わせて断面コ形の細長いガイドケース（図示省略）を内装している。この引戸Ｄには、下端面の側縁に隙間を塞ぐ細長い、例えばゴム製パッキン等のシール材１２を接着している（図１０参照）。また、図示省略するが、開口部Ｓと対向する内側の板面には、上側側縁と左右側縁に沿って、例えばゴムや合成樹脂等の弾性材からなる気密材を接着している。
【００１５】
引戸レールＬは、固定部１５ａとそれに対し直角に屈曲して延びる支持部１５ｂからなる断面Ｌ形の長尺材で、支持部１５ｂの側縁に沿って戸車２４・２５の走行路Ｒを形成してなる。この引戸レールＬは、走行路Ｒを開口部Ｓから離れる側に向け、固定部１５ａを上枠部１０ａに固定して開閉方向Ｘ・Ｙに沿って敷設する。そのように敷設する引戸レールＬにおいて、走行路Ｒは、後述するが、釣支した引戸Ｄが閉位置に移動したとき戸枠体側に引き寄せられる引き寄せ位置に合わせて、支持部１５ｂの側縁に上向きに凸設してなる（図１０Ｂ参照）。
【００１６】
戸車ユニットＴ１・Ｔ２は、図３に示すように、固定プレート１６と、固定プレート１６に回動自在に枢着する第１および第２ブラケット１７・１８と、ブラケット１７・１８の回動支点の枢軸１３と、両ブラケット１７・１８に回転自在に枢支する戸車２４・２５を備える。固定プレート１６は、金属板の片側側縁に取付穴１６ａを設ける一方、他側の側縁に管状に曲げ起こしたヒンジ部１６ｂを成形してなる。ブラケット１７・１８は、支持板部１７ａ・１８ａの一端にヒンジ部１６ｂと対応する管状のヒンジ部１７ｂ・１８ｂを曲げ成形し、支持板部１７ａ・１８ａの軸受穴１９に車軸２１の一端を嵌合して軸支する一方、車軸２１の他端をボス穴に嵌合して戸車２４・２５を回転自在に枢支している。そこで、第１戸車ユニットＴ１は、枢軸１３をヒンジ部１６ｂ・１７ｂに貫挿して固定プレート１６に対してブラケット１７を回動自在に連結してユニット本体を組み立て、第２戸車ユニットＴ２は、枢軸１３をヒンジ部１６ｂ・１８ｂに貫挿して固定プレート１６に対してブラケット１８を回動自在に連結してユニット本体を組み立てる。
【００１７】
更に、戸車ユニットＴ１・Ｔ２には、図４に示すように、それぞれ案内ローラ３０・３１および回動ストッパ３５・３６が付設されている。案内ローラ３０・３１は、Ｌ型のアングル材２６・２７の一側片２６ａ・２７ａにあけた軸受穴にローラ軸２８・２９の一端を嵌合して軸支する一方、ローラ軸２８・２９の他端をボス穴に嵌合して回転自在に枢支してなる。他側片２６ｂ・２７ｂはブラケット１７・１８にビス止めする。そこで、アングル材２６は、案内ローラ３０を戸車２４側に向け突出させてブラケット１７に組み付け、他方のアングル材２７は、案内ローラ３１を戸車２５と反対側に向け突出させてブラケット１８に組み付ける。
【００１８】
回動ストッパ３５・３６は、樹脂製で、間にブラケット１７・１８の板厚に合わせた溝幅の差込み溝２２を空けた薄箱状のキャップ部３５ａ・３６ａと、キャップ部３５ａ・３６ａの下部にそれと直交する向きに設ける板片状の角度規制部３５ｂ・３６ｂを備える。角度規制部３５ｂ・３６ｂは、その下縁を山形に形成し、そこに勾配角度の異なる第１テーパ３７および第２テーパ３８を設けてなる。戸車ユニットＴ１・Ｔ２は、差込み溝２２にブラケット１７・１８を圧入して回動ストッパ３５・３６をブラケット１７・１８に、図５に示すように、角度規制部３５ｂ・３６ｂが固定プレート１６の上に載った状態で装着して組み立てる。従って、戸車ユニットＴ１・Ｔ２は、ブラケット１７・１８を、図５（Ａ）に示すように戸車２４・２５が固定プレート１６に対し直立した状態を基準とし、片方の戸車側に倒すと、ブラケット１７・１８は同図（Ｂ）に示すように第１テーパ３７が固定プレート１６に当たって傾き角度α（例えば１５度）傾いて止まり、反対側に倒すと、同図（Ｃ）に示すように第２テーパ３８が固定プレート１６に当たって傾き角度β（例えば５度）傾いて止まるように、ブラケット１７・１８の回動角度をストッパ３５・３６でα＋βの範囲に規制して組み立ててなる。
【００１９】
そこで、戸車ユニットＴ１は、図４に示すように、枢軸１３をヒンジ部１６ｂ・１７ｂに貫挿して固定プレート１６に対してブラケット１７を回動自在に連結して組み立て、図１に示すように、枢軸１３を引戸Ｄと平行な向きにして固定プレート１６を引戸Ｄの上端面ｄの戸先側に載せ、取付穴１６ａに吊ボルト３２を通して固定する。第２戸車ユニットＴ２は、枢軸１３をヒンジ部１６ｂ・１８ｂに貫挿して固定プレート１６に対してブラケット１８を回動自在に連結して組み立て、枢軸１３を引戸Ｄと平行な向きにして固定プレート１６を引戸Ｄの上端面ｄの戸尻側に載せ、取付穴１６ａに吊ボルト３３を通して固定する。
【００２０】
引き寄せガイドＧは、図２および図６に示すように、引戸レールＬの長さに合わせて長尺なガイドレール１４と、複数のガイドピース２３とで構成する。ガイドレール１４は、断面略Ｌ形に折り曲げて取付板部１４ａと鍔部１４ｂを設け、鍔部１４ｂの内面に一対の細長いガイドバー３９・４０を幅方向に間隔をあけて立設し、案内ローラ３０・３１をそれぞれ係合する第１および第２のガイド溝４１・４２を引戸レールＬの走行路Ｒと平行に形成する。一方のガイドバー４０は、引戸Ｄに搭載する案内ローラ３０・３１間の間隔長さ分だけ他方のガイドバー３９より短く、その長さの差だけ第２ガイド溝４２が第１ガイド溝４１より短くなっている。
【００２１】
ガイドピース２３は、直方体の角を１つ面取りしてテーパ面ｔを設けた駒状に形成してなる。そこで、引き寄せガイドＧは、一対のガイドピース２３・２３を、第１ガイド溝４１の長さ方向一端縁４１ａで互いのテーパ面ｔを対向させて鍔部１４ｂの内面に接着し、第１ガイド溝４１に対して溝端部が取付板部１４ａから離れる向きに傾斜した第３ガイド溝４３を形成する。また、第２ガイド溝４２の長さ方向一端縁４２ａには、テーパ面ｔをガイドバー４０側に向けてガイドピース２３を１つ鍔部１４ｂの内面に接着し、第２ガイド溝４２に対して溝端部が取付板部１４ａから離れる向きに第３ガイド溝４３と平行に傾斜した第４ガイド溝４４を形成する。そして、引き寄せガイドＧは、それらガイド溝４１・４３、４２・４４に係合させて案内ローラ３０・３１をそれぞれ案内する２列の平行なガイド通路ｍ・ｎを形成する。かかる構造の引き寄せガイドＧは、図１に示すように、引戸レールＬの上側で平行に取付板部１４ａを上枠部１０ａに固定して開閉方向Ｘ・Ｙに沿って敷設する。
【００２２】
アシストハンドルＨは、図２および図７に示すように、手で握って回動操作する長手な力点レバー部４４と、力点レバー部４４から離れた先端にあって短手な作用アーム部４５と、作用アーム部４５近くに設ける支点部４６からなるく字状に屈曲した一体の梃子部材で形成し、倍力機構として梃子の原理を適用したものになっている。力点レバー部４４は、一対のバー４４ａ・４４ｂを、支点部４６で軸支した呼込み軸４７を介して一体回動可能に連結してなる。バー４４ａ・４４ｂには、基端にゴムローラ４８を装着している。作用アーム部４５にも、先端の作用点にゴムローラ４９を装着している。このアシストハンドルＨは、バー４４ａ・４４ｂを、引戸Ｄを間に挟んだ両側の戸先側に配置し、支点部４６を中心として回動可能に引戸Ｄの戸先側に付設する。
【００２３】
そこで、図示例の引戸装置Ａでは、図８、図９および図１０（Ａ）に示すように、案内ローラ３０・３１を引き寄せガイドＧの第１および第２ガイド溝４１・４２に係合する一方、戸車２４・２５は引戸レールＬの走行路Ｒに係合させて、引戸Ｄを開位置で引戸レールＬに懸架する。すると、引戸Ｄは、戸車ユニットＴ１・Ｔ２の回動支点の枢着位置Ｐが戸車２４・２５の走行路との係合位置Ｑに対して開口部Ｓから離れる側にずれているため、図１０（Ａ）および図１１に示すように、戸車ユニットＴ１・Ｔ２が、上方の案内ローラ３０・３１が上枠部１０ａ側に寄った向きに角度θ（例えば１０°）傾いて、開閉方向Ｘ・Ｙと直交する奥行方向Ｚに回動可能に釣支される。従って、引戸Ｄは、そのように戸車ユニットＴ１・Ｔ２が傾いて引戸レールＬに釣支されているため、戸車ユニットＴ１・Ｔ２の傾斜角度θに応じて、戸車ユニットＴ１・Ｔ２が同図（Ｂ）に示すように垂下状態にあるときより高く、図１０に示すように床面Ｆから高さｈ（例えば４ｍｍ）持ち上った状態で引戸レールＬに吊持される。
【００２４】
引戸ガイドｇは、図２および図１０に示すように、引戸Ｄの下端面に案内溝１１を凹設すると共に、引戸Ｄが閉位置にあるときに案内溝１１の戸尻側出口１１ａに係合するガイドローラ６０を床面Ｆ上に立設してなる。ガイドローラ６０は、取付ベース５９上に立てたローラ軸６１の上端に回転自在に枢支する一方、案内溝１１に嵌め込んで補強する上記ガイドケースの戸尻側出口に、引戸Ｄの奥行方向Ｚの揺動範囲に合わせて溝幅方向の逃げを形成している。
【００２５】
さて、上述した構成の引戸装置Ａでは、アシストハンドルＨの力点レバー部４４を手で持ち、引戸Ｄを、図８および図９に示すように、戸尻側の壁１０ｂと重なる開位置に止めて保持し、開口部Ｓを全開してから、再び閉止する場合には、力点レバー部４４から手を離すと、引戸Ｄは、図示しない自閉手段のゼンマイ装置により、例えばワイヤーを介して閉方向Ｙに引っ張られ、引戸レールＬの走行路Ｒを戸車２４・２５が回転しながら閉方向Ｙへと自動的に移動する。この閉止途中も、戸車ユニットＴ１・Ｔ２は、案内ローラ３０・３１が引き寄せガイドＧの第１および第２ガイド溝４１・４２に係合して上枠部１０ａ側に寄った向きに傾いた姿勢にあるため、引戸Ｄは、持ち上げ状態のまま、走行路Ｒを戸車２４・２５を回転しながら閉方向Ｙへ直進する。同時に、案内溝１１には、引戸ガイドｇのガイドローラ６０が係合して回動規制状態にあるため、引戸Ｄは、下部側においても横振れすることなく閉方向Ｙに直進する。
【００２６】
その後、引戸装置Ａでは、引戸Ｄが、図１、図２、図１３に示すように閉位置に到達すると、案内ローラ３０・３１がそれぞれ引き寄せガイドＧの案内で溝端部が開口部Ｓから離れる向きに傾斜したガイド通路ｍ・ｎの第３および第４ガイド溝４３．４４に入り込み、図１０（Ｂ）および図１２に示すように開口部Ｓから離れる側へシフトするため、戸車ユニットＴ１・Ｔ２は、ブラケット１７・１８が枢軸１３を支点として図中時計方向に揺動して直立する。すると、そのとき、引戸Ｄは、持ち上げ状態で釣支されていたので、ブラケット１７・１８が回動するに従い奥行方向Ｚ戸枠体側にスイングしながら、自重により、持ち上がっていた高さｈだけ降下し、引き寄せ位置へ落ち込むように戸枠体Ｃに引き寄せられる。その結果、引戸Ｄは、自重をかけて圧接した状態で、上側と左右両側の三方側縁を前記気密材を介して戸枠体Ｃに密着し、下側はシール材１２を介して床面Ｆに密着して開口部Ｓを気密度高く閉止する。
【００２７】
一方、いま戸枠体Ｃに圧接した状態で引き寄せ位置にある引戸Ｄを開ける場合は、図１４および図１５に示すように、力点レバー部４４を手で持ち、アシストハンドルＨを引いて支点部４６を支点に図中反時計方向に回し、作用アーム部４５のゴムローラ４９を戸枠体Ｃの縦枠部１０ｃに押し当てる。すると、梃子の原理が働いて、アシストハンドルＨを軽く引いて回すだけでも、図１０（Ｂ）に示すように引き寄せ位置に落ち込んだ重い引戸Ｄを、簡単に手前側に起こして引き出すことができる。すると、戸車ユニットＴ１・Ｔ２は、引き寄せガイドＧの案内で上方の案内ローラ３０・３１がそれぞれガイド通路ｍ・ｎの第３および第４ガイド溝４３・４４の傾斜に沿って開口部Ｓ寄りの第１および第２ガイド溝４１・４２へ移行するため、ブラケット１７・１８が枢軸１３を支点として図中反時計方向に揺動して案内ローラ３０・３１が開口部Ｓ側に寄った向きに角度θだけ傾動する。すると、引戸Ｄは、この戸車ユニットＴ１・Ｔ２の傾きに応じて高さｈだけ再び持ち上り、元の持ち上がり状態で開方向Ｘへ直進して開口部Ｓを開放する。
【００２８】
ところで、上述した図示実施の形態において、アシストハンドルＨは、倍力機構が梃子の原理を利用した構造のものであったが、本発明では、それに限らず、例えば以下に示すようなリンク機構を利用した構造のものなどであってもよい。
【００２９】
図示他例のアシストハンドルＨ´は、図１６に示すように、手で持って回動操作する長手なレバー部５０と、レバー部５０の一端に設ける回動支点部５１と、倍力機構部５２とを備える。レバー部５０は、一対のハンドル５０ａ・５０ｂを、回動支点部５１で軸支した呼込み軸５３を介して一体回動可能に連結してなる。倍力機構部５２は、図１７に示すように、呼込み軸５３に一体回転可能にカム５４を連結し、カム５４にリンク５５の一端を連結する一方、リンク５５の他端に、ケース５６の出入口５６ａから先端部を出し入れする押圧ピン５７を連結した構造になっている。このアシストハンドルＨ´は、ハンドル５０ａ・５０ｂを、引戸Ｄを間に挟んだ両側の戸先側に配置し、回動支点部５１を中心として回動可能に引戸Ｄの戸先側に付設する。
【００３０】
アシストハンドルＨ´は、図１８（Ａ）に示すように、戸枠体Ｃに圧接した状態で引き寄せ位置にある重い引戸Ｄを開ける場合は、レバー部５０を手で持ってアシストハンドルＨ´を引いて回動支点部５１を中心に図中反時計方向に回すと、図１７（Ｂ）に示すように、呼込み軸５３と一体にカム５４が回動してリンク５５を作動し、押圧ピン５７を出入口５６ａから押し出す。すると、リンク５５のリンク運動に基づいて、レバー部５０を軽く引いて回すだけでも、前述したと同様に、図１０（Ｂ）に示すように、引き寄せ位置に落ち込んだ重い引戸Ｄを、図１８（Ｂ）に示すように手前側に簡単に起こして引き出し、図１８（Ｃ）に示すように開位置へ引き戻すことができる。
【符号の説明】
【００３１】
Ａ                引戸
Ｃ                戸枠
Ｄ                引戸
Ｆ                床面
Ｇ                引き寄せガイド
Ｈ・Ｈ´          アシストハンドル
Ｌ                引戸レール
Ｐ                枢着位置
Ｑ                係合位置
Ｒ                走行路
Ｓ                開口部
Ｔ１・Ｔ２        戸車ユニット
Ｘ                開方向
Ｙ                閉方向
Ｚ                奥行方向
ｍ・ｎ            ガイド通路
ｈ                引戸の持ち上げ高さ
１０ａ            上枠部
１０ｂ            戸尻側の壁
１１              引戸の案内溝
１３              戸車ユニットの枢軸
２４・２５        戸車
３０・３１        案内ローラ
【図１】
2011190603.tif 000003
【図２】
2011190603.tif 000004
【図３】
2011190603.tif 000005
【図４】
2011190603.tif 000006
【図５】
2011190603.tif 000007
【図６】
2011190603.tif 000008
【図７】
2011190603.tif 000009
【図８】
2011190603.tif 000010
【図９】
2011190603.tif 000011
【図１０】
2011190603.tif 000012
【図１１】
2011190603.tif 000013
【図１２】
2011190603.tif 000014
【図１３】
2011190603.tif 000015
【図１４】
2011190603.tif 000016
【図１５】
2011190603.tif 000017
【図１６】
2011190603.tif 000018
【図１７】
2011190603.tif 000019
【図１８】
2011190603.tif 000020
【手続補正書】
【提出日】平成22年7月23日(2010.7.23)
【手続補正１】
【補正対象書類名】特許請求の範囲
【補正対象項目名】請求項１
【補正方法】変更
【補正の内容】
【請求項１】
戸枠体の上枠部に敷設した引戸レールで引戸を開閉方向に移動自在に釣支し、該引戸が開位置から直進して閉位置に移動すると、前記戸枠体側に引き寄せて開口部を気密に閉止する引戸装置であって、
前記上枠部には、前記引戸レールに沿って引き寄せガイドを敷設する一方、前記引戸には、戸車を回転自在に枢支すると共に案内ローラを回転自在に上部側に枢支した戸車ユニットを上端面の戸先側と戸尻側に搭載すると共に、扉板面の戸先側に倍力機構を備えたアシストハンドルを付設し、
前記引戸レールは、前記引戸が閉位置に移動したときに戸枠体側に引き寄せられる引き寄せ位置に前記戸車が係合する走行路を設け、
前記戸車ユニットは、前記引戸の上で枢軸を開閉方向に向けて軸支し、該枢軸を支点として前記開閉方向と直交する前記開口部の奥行方向に回動自在に枢着し、その枢着位置を、前記戸車の前記走行路との係合位置に対して前記開口部から離れる側にずらして設置し、
前記引き寄せガイドは、前記引戸が開位置にあるとき、前記案内ローラが前記開口部側に寄った傾き姿勢に前記戸車ユニットがなる第１位置に前記案内ローラを係合させる一方、前記引戸が閉位置に移動すると、前記案内ローラが前記開口部から離れる側にシフトして前記戸車ユニットが直立姿勢になる第２位置に前記案内ローラを係合させて案内するガイド通路を備え、
前記引戸は、前記戸枠体との間において、前記戸車ユニットの枢軸を支点として前記開口部の奥行方向に回動可能に前記引戸レールで釣支し、前記案内ローラが前記ガイド通路の第１位置にある間は、傾いた前記戸車ユニットの傾斜角度に応じて床面から持ち上った状態で吊持される一方、前記案内ローラが第１位置から第２位置へシフトすると、前記戸車ユニットが回動して直立するに従い前記枢軸を支点として前記開口部の奥行方向戸枠体側にスイングしながら、持ち上がっていた高さだけ降下して引き寄せ位置へ引き寄せてなることを特徴とする、アシストハンドル付引戸装置。
【手続補正２】
【補正対象書類名】明細書
【補正対象項目名】０００６
【補正方法】変更
【補正の内容】
【０００６】
本発明の目的を達成すべく、請求項１に記載の発明は、たとえば以下に示す図示実施の形態のとおり、戸枠体Ｃの上枠部１０ａに敷設した引戸レールＬで引戸Ｄを開閉方向Ｘ・Ｙに移動自在に釣支し、該引戸Ｄが開位置から直進して閉位置に移動すると、前記戸枠体側に引き寄せて開口部Ｓを気密に閉止する引戸装置Ａであって、前記上枠部１０ａには、前記引戸レールＬに沿って引き寄せガイドＧを敷設する一方、前記引戸Ｄには、戸車２４・２５を回転自在に枢支すると共に案内ローラ３０・３１を回転自在に上部側に枢支した戸車ユニットＴ１・Ｔ２を上端面ｄの戸先側と戸尻側に搭載すると共に、扉板面の戸先側に倍力機構を備えたアシストハンドルＨを付設し、前記引戸レールＬは、前記引戸Ｄが閉位置に移動したときに戸枠体側に引き寄せられる引き寄せ位置に前記戸車２４・２５が係合する走行路Ｒを設け、前記戸車ユニットＴ１・Ｔ２は、前記引戸Ｄの上で枢軸１３を開閉方向Ｘ・Ｙに向けて軸支し、該枢軸１３を支点として前記開閉方向Ｘ・Ｙと直交する前記開口部Ｓの奥行方向Ｚに回動自在に枢着し、その枢着位置Ｐを、前記戸車２４・２５の前記走行路Ｒとの係合位置Ｑに対して前記開口部Ｓから離れる側にずらして設置し、前記引き寄せガイドＧは、前記引戸Ｄが開位置にあるとき、前記案内ローラ２４・２５が前記開口部側に寄った傾き姿勢に前記戸車ユニットＴ１・Ｔ２がなる第１位置に前記案内ローラ３０・３１を係合させる一方、前記引戸Ｄが閉位置に移動すると、前記案内ローラ３０・３１が前記開口部Ｓから離れる側にシフトして前記戸車ユニットＴ１・Ｔ２が直立姿勢になる第２位置に前記案内ローラ２４・２５を係合させて案内するガイド通路ｍ・ｎを備え、前記引戸Ｄは、前記戸枠体Ｃとの間において、前記戸車ユニットＴ１・Ｔ２の枢軸１３を支点として前記開口部Ｓの奥行方向Ｚに回動可能に前記引戸レールＬで釣支し、前記案内ローラ２４・２５が前記ガイド通路ｍ・ｎの第１位置にある間は、傾いた前記戸車ユニットＴ１・Ｔ２の傾斜角度に応じて床面Ｆから持ち上った状態で吊持される一方、前記案内ローラ２４・２５が第１位置から第２位置へシフトすると、前記戸車ユニットＴ１・Ｔ２が回動して直立するに従い前記枢軸１３を支点として前記開口部Ｓの奥行方向Ｚ戸枠体Ｃ側にスイングしながら、持ち上がっていた高さｈだけ降下して引き寄せ位置へ引き寄せてなることを特徴とする。